(57)【要約】【課題】  コンセントの防塵装置の提供。【解決手段】  トップカバーと両側のサイドカバーを利用して防塵作用を具備させたコンセントの防塵装置であり、トップカバーの両側辺に斜面があり、両側のサイドカバーを駆動して左斜め下と右斜め下に移動させて展開して開放状態となしプラグをコンセントに挿入させることができ、トップカバーに対する施力を停止すると弾性回復力によりトップカバーが上に移動し、並びにトップカバーに設けられたスライド柱に協動して両側のサイドカバーが上向きにもとの位置に戻り防塵作用を回復し、便利且つ楽に操作できる。【選択図】        図７
0003106743.tif 000002
【実用新案登録請求の範囲】
【請求項１】
コンセントケース、トップカバー、両側のサイドカバー、左右のガイドレールを具えたコンセントの防塵装置であり、
該コンセントケースは、後部カバーと接続、位置決めされ、該後部カバーは通信ソケットと接続され、通信ソケットの挿入溝がコンセントケースの挿入孔に対向し、且つトップカバーと両側のサイドカバーが該通信ソケットの前側とコンセントケース内のベースの前側壁の間で活動可能な状態を呈し、前述のコンセントケースと後部カバー及び通信ソケットの組合せ、位置決め後に、コンセントケース両側に設けられた係止突起が面板の挿入孔内に設けられた固定フレームのストッパと係合され、且つ該コンセントケースのベース内の両側に位置決め片が設けられて、二つの位置決め片がバネの下方に位置し、
該トップカバーは、片状の本体を具え、該本体の上方が折り曲げられてプッシュハンドルとされ、並びに該プッシュハンドルがコンセントケースの前側挿入孔より突出し、且つ本体より前向きに連動部が突出し、該連動部は上が太く下が細くなるよう形成されて対称な二つの斜面が形成され、また本体の上方両側に該連動部の二つの斜面より所定の距離隔てられたスライド柱が設けられ、この二つのスライド柱が対応するサイドカバーの滑り溝内にスライド自在に挿入され、本体の上端両側が後ろ向きに折り曲げられて位置決め片が形成され、各位置決め片の凸柱がバネの上方に挿入され、該バネの下方がコンセントケース内のベース両側に設けられた嵌合ブロックに当接され、
該両側のサイドカバーは、上端面にトップカバーの連動部の両側斜面の傾斜に対応する案内斜面が設けられ、下端面にも案内斜面がありそれぞれコンセントケースのベースに設けられた左右のガイドレールの案内斜面の上方に当接され、両側のサイドカバーの背面に滑り溝が設けられてトップカバーの両側のスライド柱がスライド自在に挿入され、前述の滑り溝にその上端面の傾斜に合わせて傾斜部が設けられて該傾斜部の下端の直立部に接続され、
該左右のガイドレールは、それぞれコンセントケース内のベースの前側上方の所定位置に設けられ、左右のガイドレールの上端に左斜め下向きと右斜め下向きに傾斜する案内斜面が設けられ、
以上の部品で構成され、トップカバーの両側がバネの圧力を受け、そのプッシュハンドルがコンセントケースの挿入孔の上端に圧接され、並びにトップカバーの連動部と両側のサイドカバーの前端面が防塵作用を具え、通信プラグを挿入したい時は、トップカバーのプッシュハンドルを下向きに押せば、その連動部の左右両側の斜面が左斜め下向き及び右斜め下向きに両側のサイドカバーを駆動し、両側のサイドカバーがその下端面の案内斜面により左右のガイドレールの案内斜面に沿って左斜め下向き及び右斜め下向きにスライドし、且つ前述のトップカバーが両側のサイドカバーを左斜め下向き、右斜め下向きにスライドさせると同時に、該トップカバーの両側のスライド柱もまた両側のサイドカバーの背面の滑り溝に沿って下向きに移動し、トップカバーのプッシュハンドルが下向きに押圧されてコンセントケースの挿入孔の下端に当接される時、該トップカバー両側のスライド柱がそれぞれ両側のサイドカバーの滑り溝の直立部の下端に位置し並びに左右のガイドレールに当接され、反対に、トップカバーのプッシュハンドルに対する施力を停止する時、バネの弾性回復力によりトップカバーが上に移動し、且つその両側のスライド柱が下から上に滑り溝の直立部に沿って上に移動し傾斜部に進入し、両側のサイドカバーに圧接されて両側のサイドカバーを左斜め上向きと右斜め上向きに駆動し、サイドカバーがもとの位置に回復してトップカバーと組み合わされて防塵機能が回復することを特徴とする、コンセントの防塵装置。
【請求項２】
箱形コンセントケース、トップカバー、両側のサイドカバー、左右のガイドレールを具えたコンセントの防塵装置であり、
該箱形コンセントケースは、そのベースに底板が接続され、該底板の前側に左右のガイドレールが設けられ、左右のガイドレールが箱形コンセントケースのベースの前側上方に位置しその左斜め下及び右斜め下に傾斜する案内斜面が両側のサイドカバーの案内斜面と接触し、該箱形コンセントケースの挿入孔がベース前側壁のＵ形孔と逆Ｕ形孔を具えた箱蓋の嵌合組合せ後に形成され、このほかベースが位置決め溝を具えて通信ソケットの嵌め込みに供され、通信ソケットの挿入溝が挿入孔に対向し、且つトップカバーと両側のサイドカバーが通信ソケットの前側と箱形コンセントケースのベース内の前側壁の間に介装されて活動可能な状態を呈し、且つベースに接続された底板に別に凸柱が凸設されてバネの下方に嵌合され、箱形コンセントケースのベースに別にその前側壁と所定距離隔てられた隔板が設けられ、隔板と前側壁の間に空間が形成されてトップカバーと両側のサイドカバーの活動が可能とされ、且つベースに貫通する溝が設けられて前述の空間と連通し、ベースに接続された底板に設けられた左右のガイドレールが前述の空間内に進入するのに便利とされ、
該トップカバーは、片状の本体を具え、該本体の上方が折り曲げられてプッシュハンドルとされ、並びに該プッシュハンドルがコンセントケースの前側挿入孔より突出し、且つ本体より前向きに連動部が突出し、該連動部は上が太く下が細くなるよう形成されて対称な二つの斜面が形成され、また本体の上方両側に該連動部の二つの斜面より所定の距離隔てられたスライド柱が設けられ、この二つのスライド柱が対応するサイドカバーの滑り溝内にスライド自在に挿入され、本体の上端両側が後ろ向きに折り曲げられて位置決め片が形成され、各位置決め片の凸柱がバネの上方に挿入され、該バネの下方がコンセントケース内のベース両側に設けられた嵌合ブロックに当接され、
該両側のサイドカバーは、上端面にトップカバーの連動部の両側斜面の傾斜に対応する案内斜面が設けられ、下端面にも案内斜面がありそれぞれコンセントケースのベースに設けられた左右のガイドレールの案内斜面の上方に当接され、両側のサイドカバーの背面に滑り溝が設けられてトップカバーの両側のスライド柱がスライド自在に挿入され、前述の滑り溝にその上端面の傾斜に合わせて傾斜部が設けられて該傾斜部の下端の直立部に接続され、
該左右のガイドレールは、それぞれコンセントケース内のベースの前側上方の所定位置に設けられ、左右のガイドレールの上端に左斜め下向きと右斜め下向きに傾斜する案内斜面が設けられ、
以上の部品で構成され、トップカバーの両側がバネの圧力を受け、そのプッシュハンドルが箱形コンセントケースの挿入孔の上端に圧接され、並びにトップカバーの連動部と両側のサイドカバーの前端面が防塵作用を具え、通信プラグを挿入したい時は、トップカバーのプッシュハンドルを下向きに押せば、その連動部の左右両側の斜面が左斜め下向き及び右斜め下向きに両側のサイドカバーを駆動し、両側のサイドカバーがその下端面の案内斜面により左右のガイドレールの案内斜面に沿って左斜め下向き及び右斜め下向きにスライドし、且つ前述のトップカバーが両側のサイドカバーを左斜め下向き、右斜め下向きにスライドさせると同時に、該トップカバーの両側のスライド柱もまた両側のサイドカバーの背面の滑り溝に沿って下向きに移動し、トップカバーのプッシュハンドルが下向きに押圧されてコンセントケースの挿入孔の下端に当接される時、該トップカバー両側のスライド柱がそれぞれ両側のサイドカバーの滑り溝の直立部の下端に位置し並びに左右のガイドレールに当接され、反対に、トップカバーのプッシュハンドルに対する施力を停止する時、バネの弾性回復力によりトップカバーが上に移動し、且つその両側のスライド柱が下から上に滑り溝の直立部に沿って上に移動し傾斜部に進入し、両側のサイドカバーに圧接されて両側のサイドカバーを左斜め上向きと右斜め上向きに駆動し、サイドカバーがもとの位置に回復してトップカバーと組み合わされて防塵機能が回復することを特徴とする、コンセントの防塵装置。
【請求項３】
面板、トップカバー、両側のサイドカバー、左右のガイドレールを具えたコンセントの防塵装置であり、
該面板は、それに接続された後部カバーに左右のガイドレールが設けられ、左右のガイドレールがその左斜め下向きと右斜め下向きに傾斜する案内斜面により両側のサイドカバーの案内斜面と接触し、該面板に挿入孔が設けられ、且つ面板の後側の上と下に二つの位置決め壁が設けられて該位置決め壁に設けられた係止溝が両側にフックを具えた後部カバーに接続、位置決めされ、該後部カバーは通信ソケットに接続され、通信ソケットの挿入溝に面板の挿入孔が対向し、且つトップカバーと両側のサイドカバーが後部カバーの前側と面板の前側壁内部の間に介装されて活動可能な状態を呈し、
該トップカバーは、片状の本体を具え、該本体の上方が折り曲げられてプッシュハンドルとされ、並びに該プッシュハンドルがコンセントケースの前側挿入孔より突出し、且つ本体より前向きに連動部が突出し、該連動部は上が太く下が細くなるよう形成されて対称な二つの斜面が形成され、また本体の上方両側に該連動部の二つの斜面より所定の距離隔てられたスライド柱が設けられ、この二つのスライド柱が対応するサイドカバーの滑り溝内にスライド自在に挿入され、本体の上端両側が後ろ向きに折り曲げられて位置決め片が形成され、各位置決め片の凸柱がバネの上方に挿入され、該バネの下方がコンセントケース内のベース両側に設けられた嵌合ブロックに当接され、
該両側のサイドカバーは、上端面にトップカバーの連動部の両側斜面の傾斜に対応する案内斜面が設けられ、下端面にも案内斜面がありそれぞれコンセントケースのベースに設けられた左右のガイドレールの案内斜面の上方に当接され、両側のサイドカバーの背面に滑り溝が設けられてトップカバーの両側のスライド柱がスライド自在に挿入され、前述の滑り溝にその上端面の傾斜に合わせて傾斜部が設けられて該傾斜部の下端の直立部に接続され、
該左右のガイドレールは、それぞれコンセントケース内のベースの前側上方の所定位置に設けられ、左右のガイドレールの上端に左斜め下向きと右斜め下向きに傾斜する案内斜面が設けられ、
以上の部品で構成され、トップカバーの両側がバネの圧力を受け、そのプッシュハンドルが面板の挿入孔の上端に圧接され、並びにトップカバーの連動部と両側のサイドカバーの前端面が防塵作用を具え、通信プラグを挿入したい時は、トップカバーのプッシュハンドルを下向きに押せば、その連動部の左右両側の斜面が左斜め下向き及び右斜め下向きに両側のサイドカバーを駆動し、両側のサイドカバーがその下端面の案内斜面により左右のガイドレールの案内斜面に沿って左斜め下向き及び右斜め下向きにスライドし、且つ前述のトップカバーが両側のサイドカバーを左斜め下向き、右斜め下向きにスライドさせると同時に、該トップカバーの両側のスライド柱もまた両側のサイドカバーの背面の滑り溝に沿って下向きに移動し、トップカバーのプッシュハンドルが下向きに押圧されてコンセントケースの挿入孔の下端に当接される時、該トップカバー両側のスライド柱がそれぞれ両側のサイドカバーの滑り溝の直立部の下端に位置し並びに左右のガイドレールに当接され、反対に、トップカバーのプッシュハンドルに対する施力を停止する時、バネの弾性回復力によりトップカバーが上に移動し、且つその両側のスライド柱が下から上に滑り溝の直立部に沿って上に移動し傾斜部に進入し、両側のサイドカバーに圧接されて両側のサイドカバーを左斜め上向きと右斜め上向きに駆動し、サイドカバーがもとの位置に回復してトップカバーと組み合わされて防塵機能が回復することを特徴とする、コンセントの防塵装置。
【考案の詳細な説明】
【技術分野】
【０００１】
本考案はコンセントの防塵装置に係り、トップカバーと両側のサイドカバーにより防塵作用を具備させたものであり、そのうちトップカバーの両側辺に斜面があり、両側のサイドカバーを駆動して左斜め下と右斜め下に移動させて展開して開放状態となしプラグをコンセントに挿入させることができ、便利且つ楽に操作できる、コンセントの防塵装置に関する。
【背景技術】
【０００２】
周知の防塵カバーを具えたコンセントは図１から図３に示されるように、コンセントケース９１１、防塵カバー９１２、ねじりバネ９１３、後部カバー９１４、通信ソケット９１５等の部品で構成され、使用時に以下のような欠点を有している。
１．プラグ（図示せず）を挿入する時、防塵カバー９１２は上向きの施力によりねじりバネ９１３を圧縮しなければ開放させられず、このため施力操作が自然な動作で行なえず、且つ楽に行なえない。
２．ある期間使用すると、ねじりバネ９１３が弾性疲労により変形や脱落を発生しやすく、このため防塵カバー９１２が落下して防塵作用を喪失する。
【０００３】
別の周知の防塵カバーは図４から図６に示されるように、コンセントケース９２１、防塵カバー９２２、防塵下カバー９２３、バネ９２４、位置決め片９２５、後部カバー９２６、通信ソケット９２７等の部品で構成され、使用時に防塵カバー９２２は下向きに押圧され並びに防塵下カバー９２３が協動により下に移動し、押圧操作が上から下の施力で自然に行なえるが、依然として操作が楽に行なえる機能を具備しない。このようなコンセント製品は角部或いは屋内の下部等配置物の背面或いは下方に設置されうるため、使用者の操作空間が更に狭く、このため防塵カバーの操作を自然に楽に行なえるようにすることが重要である。
【考案の開示】
【考案が解決しようとする課題】
【０００４】
本考案の主要な目的は、一種のコンセントの防塵装置を提供することにあり、それは、トップカバーと両側のサイドカバーを利用して防塵作用を具備させたコンセントの防塵装置であり、トップカバーの両側辺に斜面があり、両側のサイドカバーを駆動して左斜め下と右斜め下に移動させて展開して開放状態となしプラグをコンセントに挿入させることができ、トップカバーに対する施力を停止すると弾性回復力によりトップカバーが上に移動し、並びにトップカバーに設けられたスライド柱に協動して両側のサイドカバーが上向きにもとの位置に戻り防塵作用を回復し、便利且つ楽に操作できるものとする。
【課題を解決するための手段】
【０００５】
請求項１の考案は、コンセントケース、トップカバー、両側のサイドカバー、左右のガイドレールを具えたコンセントの防塵装置であり、
該コンセントケースは、後部カバーと接続、位置決めされ、該後部カバーは通信ソケットと接続され、通信ソケットの挿入溝がコンセントケースの挿入孔に対向し、且つトップカバーと両側のサイドカバーが該通信ソケットの前側とコンセントケース内のベースの前側壁の間で活動可能な状態を呈し、前述のコンセントケースと後部カバー及び通信ソケットの組合せ、位置決め後に、コンセントケース両側に設けられた係止突起が面板の挿入孔内に設けられた固定フレームのストッパと係合され、且つ該コンセントケースのベース内の両側に位置決め片が設けられて、二つの位置決め片がバネの下方に位置し、
該トップカバーは、片状の本体を具え、該本体の上方が折り曲げられてプッシュハンドルとされ、並びに該プッシュハンドルがコンセントケースの前側挿入孔より突出し、且つ本体より前向きに連動部が突出し、該連動部は上が太く下が細くなるよう形成されて対称な二つの斜面が形成され、また本体の上方両側に該連動部の二つの斜面より所定の距離隔てられたスライド柱が設けられ、この二つのスライド柱が対応するサイドカバーの滑り溝内にスライド自在に挿入され、本体の上端両側が後ろ向きに折り曲げられて位置決め片が形成され、各位置決め片の凸柱がバネの上方に挿入され、該バネの下方がコンセントケース内のベース両側に設けられた嵌合ブロックに当接され、
該両側のサイドカバーは、上端面にトップカバーの連動部の両側斜面の傾斜に対応する案内斜面が設けられ、下端面にも案内斜面がありそれぞれコンセントケースのベースに設けられた左右のガイドレールの案内斜面の上方に当接され、両側のサイドカバーの背面に滑り溝が設けられてトップカバーの両側のスライド柱がスライド自在に挿入され、前述の滑り溝にその上端面の傾斜に合わせて傾斜部が設けられて該傾斜部の下端の直立部に接続され、
該左右のガイドレールは、それぞれコンセントケース内のベースの前側上方の所定位置に設けられ、左右のガイドレールの上端に左斜め下向きと右斜め下向きに傾斜する案内斜面が設けられ、
以上の部品で構成され、トップカバーの両側がバネの圧力を受け、そのプッシュハンドルがコンセントケースの挿入孔の上端に圧接され、並びにトップカバーの連動部と両側のサイドカバーの前端面が防塵作用を具え、通信プラグを挿入したい時は、トップカバーのプッシュハンドルを下向きに押せば、その連動部の左右両側の斜面が左斜め下向き及び右斜め下向きに両側のサイドカバーを駆動し、両側のサイドカバーがその下端面の案内斜面により左右のガイドレールの案内斜面に沿って左斜め下向き及び右斜め下向きにスライドし、且つ前述のトップカバーが両側のサイドカバーを左斜め下向き、右斜め下向きにスライドさせると同時に、該トップカバーの両側のスライド柱もまた両側のサイドカバーの背面の滑り溝に沿って下向きに移動し、トップカバーのプッシュハンドルが下向きに押圧されてコンセントケースの挿入孔の下端に当接される時、該トップカバー両側のスライド柱がそれぞれ両側のサイドカバーの滑り溝の直立部の下端に位置し並びに左右のガイドレールに当接され、反対に、トップカバーのプッシュハンドルに対する施力を停止する時、バネの弾性回復力によりトップカバーが上に移動し、且つその両側のスライド柱が下から上に滑り溝の直立部に沿って上に移動し傾斜部に進入し、両側のサイドカバーに圧接されて両側のサイドカバーを左斜め上向きと右斜め上向きに駆動し、サイドカバーがもとの位置に回復してトップカバーと組み合わされて防塵機能が回復することを特徴とする、コンセントの防塵装置としている。
請求項２の考案は、箱形コンセントケース、トップカバー、両側のサイドカバー、左右のガイドレールを具えたコンセントの防塵装置であり、
該箱形コンセントケースは、そのベースに底板が接続され、該底板の前側に左右のガイドレールが設けられ、左右のガイドレールが箱形コンセントケースのベースの前側上方に位置しその左斜め下及び右斜め下に傾斜する案内斜面が両側のサイドカバーの案内斜面と接触し、該箱形コンセントケースの挿入孔がベース前側壁のＵ形孔と逆Ｕ形孔を具えた箱蓋の嵌合組合せ後に形成され、このほかベースが位置決め溝を具えて通信ソケットの嵌め込みに供され、通信ソケットの挿入溝が挿入孔に対向し、且つトップカバーと両側のサイドカバーが通信ソケットの前側と箱形コンセントケースのベース内の前側壁の間に介装されて活動可能な状態を呈し、且つベースに接続された底板に別に凸柱が凸設されてバネの下方に嵌合され、箱形コンセントケースのベースに別にその前側壁と所定距離隔てられた隔板が設けられ、隔板と前側壁の間に空間が形成されてトップカバーと両側のサイドカバーの活動が可能とされ、且つベースに貫通する溝が設けられて前述の空間と連通し、ベースに接続された底板に設けられた左右のガイドレールが前述の空間内に進入するのに便利とされ、
該トップカバーは、片状の本体を具え、該本体の上方が折り曲げられてプッシュハンドルとされ、並びに該プッシュハンドルがコンセントケースの前側挿入孔より突出し、且つ本体より前向きに連動部が突出し、該連動部は上が太く下が細くなるよう形成されて対称な二つの斜面が形成され、また本体の上方両側に該連動部の二つの斜面より所定の距離隔てられたスライド柱が設けられ、この二つのスライド柱が対応するサイドカバーの滑り溝内にスライド自在に挿入され、本体の上端両側が後ろ向きに折り曲げられて位置決め片が形成され、各位置決め片の凸柱がバネの上方に挿入され、該バネの下方がコンセントケース内のベース両側に設けられた嵌合ブロックに当接され、
該両側のサイドカバーは、上端面にトップカバーの連動部の両側斜面の傾斜に対応する案内斜面が設けられ、下端面にも案内斜面がありそれぞれコンセントケースのベースに設けられた左右のガイドレールの案内斜面の上方に当接され、両側のサイドカバーの背面に滑り溝が設けられてトップカバーの両側のスライド柱がスライド自在に挿入され、前述の滑り溝にその上端面の傾斜に合わせて傾斜部が設けられて該傾斜部の下端の直立部に接続され、
該左右のガイドレールは、それぞれコンセントケース内のベースの前側上方の所定位置に設けられ、左右のガイドレールの上端に左斜め下向きと右斜め下向きに傾斜する案内斜面が設けられ、
以上の部品で構成され、トップカバーの両側がバネの圧力を受け、そのプッシュハンドルが箱形コンセントケースの挿入孔の上端に圧接され、並びにトップカバーの連動部と両側のサイドカバーの前端面が防塵作用を具え、通信プラグを挿入したい時は、トップカバーのプッシュハンドルを下向きに押せば、その連動部の左右両側の斜面が左斜め下向き及び右斜め下向きに両側のサイドカバーを駆動し、両側のサイドカバーがその下端面の案内斜面により左右のガイドレールの案内斜面に沿って左斜め下向き及び右斜め下向きにスライドし、且つ前述のトップカバーが両側のサイドカバーを左斜め下向き、右斜め下向きにスライドさせると同時に、該トップカバーの両側のスライド柱もまた両側のサイドカバーの背面の滑り溝に沿って下向きに移動し、トップカバーのプッシュハンドルが下向きに押圧されてコンセントケースの挿入孔の下端に当接される時、該トップカバー両側のスライド柱がそれぞれ両側のサイドカバーの滑り溝の直立部の下端に位置し並びに左右のガイドレールに当接され、反対に、トップカバーのプッシュハンドルに対する施力を停止する時、バネの弾性回復力によりトップカバーが上に移動し、且つその両側のスライド柱が下から上に滑り溝の直立部に沿って上に移動し傾斜部に進入し、両側のサイドカバーに圧接されて両側のサイドカバーを左斜め上向きと右斜め上向きに駆動し、サイドカバーがもとの位置に回復してトップカバーと組み合わされて防塵機能が回復することを特徴とする、コンセントの防塵装置としている。
請求項３の考案は、面板、トップカバー、両側のサイドカバー、左右のガイドレールを具えたコンセントの防塵装置であり、
該面板は、それに接続された後部カバーに左右のガイドレールが設けられ、左右のガイドレールがその左斜め下向きと右斜め下向きに傾斜する案内斜面により両側のサイドカバーの案内斜面と接触し、該面板に挿入孔が設けられ、且つ面板の後側の上と下に二つの位置決め壁が設けられて該位置決め壁に設けられた係止溝が両側にフックを具えた後部カバーに接続、位置決めされ、該後部カバーは通信ソケットに接続され、通信ソケットの挿入溝に面板の挿入孔が対向し、且つトップカバーと両側のサイドカバーが後部カバーの前側と面板の前側壁内部の間に介装されて活動可能な状態を呈し、
該トップカバーは、片状の本体を具え、該本体の上方が折り曲げられてプッシュハンドルとされ、並びに該プッシュハンドルがコンセントケースの前側挿入孔より突出し、且つ本体より前向きに連動部が突出し、該連動部は上が太く下が細くなるよう形成されて対称な二つの斜面が形成され、また本体の上方両側に該連動部の二つの斜面より所定の距離隔てられたスライド柱が設けられ、この二つのスライド柱が対応するサイドカバーの滑り溝内にスライド自在に挿入され、本体の上端両側が後ろ向きに折り曲げられて位置決め片が形成され、各位置決め片の凸柱がバネの上方に挿入され、該バネの下方がコンセントケース内のベース両側に設けられた嵌合ブロックに当接され、
該両側のサイドカバーは、上端面にトップカバーの連動部の両側斜面の傾斜に対応する案内斜面が設けられ、下端面にも案内斜面がありそれぞれコンセントケースのベースに設けられた左右のガイドレールの案内斜面の上方に当接され、両側のサイドカバーの背面に滑り溝が設けられてトップカバーの両側のスライド柱がスライド自在に挿入され、前述の滑り溝にその上端面の傾斜に合わせて傾斜部が設けられて該傾斜部の下端の直立部に接続され、
該左右のガイドレールは、それぞれコンセントケース内のベースの前側上方の所定位置に設けられ、左右のガイドレールの上端に左斜め下向きと右斜め下向きに傾斜する案内斜面が設けられ、
以上の部品で構成され、トップカバーの両側がバネの圧力を受け、そのプッシュハンドルが面板の挿入孔の上端に圧接され、並びにトップカバーの連動部と両側のサイドカバーの前端面が防塵作用を具え、通信プラグを挿入したい時は、トップカバーのプッシュハンドルを下向きに押せば、その連動部の左右両側の斜面が左斜め下向き及び右斜め下向きに両側のサイドカバーを駆動し、両側のサイドカバーがその下端面の案内斜面により左右のガイドレールの案内斜面に沿って左斜め下向き及び右斜め下向きにスライドし、且つ前述のトップカバーが両側のサイドカバーを左斜め下向き、右斜め下向きにスライドさせると同時に、該トップカバーの両側のスライド柱もまた両側のサイドカバーの背面の滑り溝に沿って下向きに移動し、トップカバーのプッシュハンドルが下向きに押圧されてコンセントケースの挿入孔の下端に当接される時、該トップカバー両側のスライド柱がそれぞれ両側のサイドカバーの滑り溝の直立部の下端に位置し並びに左右のガイドレールに当接され、反対に、トップカバーのプッシュハンドルに対する施力を停止する時、バネの弾性回復力によりトップカバーが上に移動し、且つその両側のスライド柱が下から上に滑り溝の直立部に沿って上に移動し傾斜部に進入し、両側のサイドカバーに圧接されて両側のサイドカバーを左斜め上向きと右斜め上向きに駆動し、サイドカバーがもとの位置に回復してトップカバーと組み合わされて防塵機能が回復することを特徴とする、コンセントの防塵装置としている。
【考案の効果】
【０００６】
本考案はトップカバーと両側のサイドカバーを利用して防塵作用を具備するものとされ、そのうちトップカバーの両側辺に斜面が設けられて両側のサイドカバーを駆動してそれぞれ左斜め下及び右斜め下に移動させて開放状態となしてプラグをコンセントに挿入できる状態とすることができ、操作に便利で楽に操作できる。
【考案を実施するための最良の形態】
【０００７】
図７から図１７は本考案のコンセントの防塵装置の第１実施例を示す。それは、トップカバー１、両側のサイドカバー２、３、左右のガイドレール４、５を具えている。
【０００８】
該トップカバー１は、片状の本体１１を具え、該本体１１の上方が折り曲げられてプッシュハンドル１１１とされ、並びに該プッシュハンドル１１１がコンセントケース６の前側挿入孔６１より突出し、且つ本体１１より前向きに連動部１１２（図８、１０）が突出し、該連動部１１２は上が太く下が細くなるよう形成されて対称な二つの斜面１１２１、１１２２が形成され、また本体１１の上方両側に別に該連動部１１２の二つの斜面１１２１、１１２２より所定の距離隔てられたスライド柱１１３、１１４が設けられ、この二つのスライド柱１１３、１１４がそれぞれ二つのサイドカバー２、３の滑り溝２１、３１内に滑り込み、本体１１の上端両側が後ろ向きに折り曲げられて位置決め片１１５が形成され、各位置決め片１１５の凸柱１１５１がバネ１０の上方１０１に挿入され、更にバネ１０の下方１０２がコンセントケース６内のベース６２両側に設けられた嵌合ブロック６２１に当接されている。
【０００９】
該両側のサイドカバー２、３は、上端面にトップカバー１の連動部１１２の両側斜面１１２１、１１２２の傾斜に対応する案内斜面２２、３２が設けられ、下端面にも案内斜面２２、３２がありそれぞれコンセントケース６のベース６２に設けられた左右のガイドレール４、５の案内斜面４１、５１の上方に当接され、両側のサイドカバー２、３の背面に滑り溝２１、３１が設けられてトップカバー１の両側のスライド柱１１３、１１４がスライド自在に挿入され、前述の滑り溝２１、３１にその上端面の傾斜に合わせて傾斜部２１１、３１１が設けられて該傾斜部２１１、３１１の下端の直立部２１２、３１２に接続されている。
【００１０】
該左右のガイドレール４、５は（図７参照）、それぞれコンセントケース６内のベース６２の前側上方の所定位置に設けられ、左右のガイドレール４、５の上端に左斜め下向きと右斜め下向きに傾斜する案内斜面４１、５１が設けられている。
【００１１】
以上の部品で構成され、トップカバー１の両側がバネ１０の圧力を受け、そのプッシュハンドル１１１がコンセントケース６の挿入孔６１の上端に圧接され、並びにトップカバー１の連動部１１２と両側のサイドカバー２、３の前端面２０、３０が防塵作用を具え（図１３、１４）、通信プラグ（図示せず）を挿入したい時は、トップカバー１のプッシュハンドル１１１を下向きに押せば、その連動部１１２の左右両側の斜面１１２１、１１２２が左斜め下向き及び右斜め下向きに両側のサイドカバー２、３を駆動し、両側のサイドカバー２、３がその下端面の案内斜面２２、３２により左右のガイドレール４、５の案内斜面４１、５１に沿って左斜め下向き及び右斜め下向きにスライドし、且つ前述のトップカバー１が両側のサイドカバー２、３を左斜め下向き、右斜め下向きにスライドさせると同時に、該トップカバー１の両側のスライド柱１１３、１１４もまた両側のサイドカバー２、３の背面の滑り溝２１、３１に沿って下向きに移動し、トップカバー１のプッシュハンドル１１１が下向きに押圧されてコンセントケース６の挿入孔６１の下端に当接される時（図１６）、該トップカバー１両側のスライド柱１１３、１１４がそれぞれ両側のサイドカバー２、３の滑り溝２１、３１の直立部２１２、３１２の下端に位置し並びに左右のガイドレール４、５に当接される（図１１）。反対に、トップカバー１のプッシュハンドル１１１に対する施力を停止する時、バネ１０の弾性回復力によりトップカバー１が上に移動し、且つその両側のスライド柱１１３、１１４が下から上に滑り溝２１、３１の直立部２１２、３１２に沿って上に移動し傾斜部２１１、３１１に進入し、両側のサイドカバー２、３に圧接されて両側のサイドカバー２、３を左斜め上向きと右斜め上向きに駆動し、もとの位置に回復させ（図１０、１３）、トップカバー１と組み合わされて防塵機能が回復する。
【００１２】
更に、前述のコンセントケース６はその両側の係止溝６７で両側にフック６３１を具えた後部カバー６３に接続、位置決めされ、該後部カバー６３は通信ソケット６０と接続され、並びに通信ソケット６０の挿入溝６０１が後部カバー６３の挿入孔６１に対向し、且つ前述のトップカバー１と両側のサイドカバー２、３が通信ソケット６０の前側とコンセントケース６内のベース６２の前側壁６２０の間で活動可能な状態とされ、コンセントケース６と後部カバー６３及び通信ソケット６０が組み合わされ位置決めされた後、コンセントケース６両側に設けられた係止突起６２２により面板６４（図１７）の挿入孔６４１内に設けられた固定フレーム６４２のストッパ（図示せず）と係合し、位置決めされる。
【００１３】
また、前述のコンセントケース６のベース６２両側に設けられた嵌合ブロック６２１の後側が二つの位置決め片６６の下方６６１に嵌合され、各位置決め片６６の上方に嵌め孔６６２が設けられて、コンセントケース６内のベース６２の前側壁６２０に設けられた凸柱６２０１（図１０）と嵌合接続され、二つの位置決め片６６がちょうど前述のバネ１０の後方に位置し、バネ１０の位置決め効果が増される。
【００１４】
このほか、図１８から図２２に示されるのは本考案の第２実施例であり、それによると、トップカバー１、両側のサイドカバー２、３、左右のガイドレール４、５の構造特徴及び技術内容は前述の第１実施例と同じであるが、第１実施例と異なるところは以下のとおりである。即ち、該左右のガイドレール４、５が箱形コンセントケース７のベース７２に接続された底板７３の前側上方に設置され、左右のガイドレール４、５がそれぞれ箱形コンセントケース７のベース７２の前側上方に位置してその左斜め下向き及び右斜め下向きに傾斜する案内斜面４１、５１が両側のサイドカバー２、３の案内斜面２２、３２と接触し、該箱形コンセントケース７の挿入孔７１がベース７２前側壁の凹形孔７２１と逆Ｕ形孔７４１を具えた箱蓋７４の嵌合組合せ後に形成され、このほか、ベース７２が位置決め溝７２０を具えて通信ソケット６０の嵌め込みに供され、通信ソケット６０の挿入溝６０１が挿入孔７１に対向し、且つトップカバー１と両側のサイドカバー２、３が通信ソケット６０の前側と箱形コンセントケース７のベース７２内の前側壁７２２の間に介装されて活動可能な状態を呈する。
【００１５】
更に第２実施例中の箱形コンセントケース７のベース７２に接続された底板７３に別に凸柱７３２が凸設されてバネ１０の下方に嵌合される。
【００１６】
また、前述の第２実施例中の箱形コンセントケース７のベース７２に別にその前側壁７２２と所定距離隔てられた隔板７２５が設けられ、隔板７２５と前側壁７２２の間に空間７２８が形成されて前述のトップカバー１と両側のサイドカバー２、３の活動が可能とされ、且つベース７２に貫通する溝７２７が設けられて前述の空間７２８と連通し、ベース７２に接続された底板７３に設けられた左右のガイドレール４、５が前述の空間７２８内に進入するのに便利とされている。
【００１７】
このほか、図２３から図２７は本考案の第３実施例を示し、それによると、トップカバー１、両側のサイドカバー２、３、左右のガイドレール４、５の構造特徴及び技術内容は前述の第１実施例と同じであるが、第１実施例と異なるところは以下のとおりである。即ち、コンセントケース６が別の規格の面板８に改められ、且つ面板８に二組の防塵装置が取付けられ、左右のガイドレール４、５は面板８に接続された後部カバー８３の前側に設置するよう改められ、左右のガイドレール４、５がその左斜め下向きと右斜め下向きに傾斜する案内斜面４１、５１により両側のサイドカバー２、３の案内斜面２２、３２と接触し、該面板８に挿入孔８１が設けられ、且つ面板８の後側の上と下に二つの位置決め壁８２７が設けられて該位置決め壁８２７に設けられた係止溝８２７１が両側にフック８３１を具えた後部カバー８３に接続、位置決めされ、該後部カバー８３は通信ソケット６０に接続され、通信ソケット６０の挿入溝６０１に面板８の挿入孔８１が対向し、且つトップカバー１と両側のサイドカバー２、３が後部カバー８３の前側と面板８の前側壁８２内部の間に介装されて活動可能な状態を呈し、このほか二つのバネ１０の下方が後部カバー８３下方の両側の凸片８３２に当接されている。
【図面の簡単な説明】
【００１８】
【図１】周知の製品の立体分解図である。
【図２】周知の製品の部分部品立体図である。
【図３】周知の製品の部分部品背面図である。
【図４】もう一つの周知の製品の部分部品分解図である。
【図５】もう一つの周知の製品の正面図である。
【図６】もう一つの周知の製品の立体組合せ図である。
【図７】本考案の第１実施例の背面立体分解図である。
【図８】本考案の第１実施例中、トップカバーと両側のサイドカバーの部分立体組合せ図である。
【図９】本考案の第１実施例中、トップカバーと両側のサイドカバーの別角度の部分立体組合せ図である。
【図１０】本考案の第１実施例の組合せ断面図である。
【図１１】本考案の第１実施例中の防塵装置開放状態の組合せ断面図である。
【図１２】本考案の第１実施例の立体組合せ図である。
【図１３】本考案の第１実施例の別角度の立体図である。
【図１４】本考案の第１実施例の別角度の断面立体図である（バネは未表示）。
【図１５】本考案の第１実施例中の防塵装置の開放状態の立体図である。
【図１６】本考案の第１実施例中の防塵装置の開放状態の立体図である（コンセントケースは未表示）。
【図１７】本考案の第１実施例中の面板の立体図である。
【図１８】本考案の第２実施例の立体分解図である。
【図１９】本考案の第２実施例のカバーの未組付け状態の立体断面分解図である。
【図２０】本考案の第２実施例の立体図である。
【図２１】本考案の第２実施例の部分部品背面立体図である。
【図２２】本考案の第２実施例の部分部品立体図である。
【図２３】本考案の第３実施例の立体分解図である。
【図２４】本考案の第３実施例の立体図である。
【図２５】本考案の第３実施例の背面立体分解図である。
【図２６】本考案の第３実施例の背面立体図である。
【図２７】本考案の第３実施例中の防塵装置の開放状態の立体図である。
【符号の説明】
【００１９】
１  トップカバー
１０  バネ
１０１  上方
１０２  下方
１１  本体
１１１  プッシュハンドル
１１２  連動部
１１２１、１１２２  斜面
１１３、１１４  スライド柱
１１５  位置決め片
１１５１  凸柱
２、３  サイドカバー
２１、３１  滑り溝
２１１、３１１  傾斜部
２１２、３１２  直立部
２２、３２  案内斜面
４、５  ガイドレール
４１、５１  案内斜面
６  コンセントケース
６０  通信ソケット
６０１  挿入溝
６１  挿入孔
６２  ベース
６２０  前側壁
６２０１  凸柱
６２１  嵌合ブロック
６２２  係止突起
６３  後部カバー
６３１  フック
６４  面板
６４１  挿入孔
６４２  固定フレーム
６６  位置決め片
６６１  下方
６６２  嵌め孔
６７  係止溝
７  箱形コンセントケース
７１  挿入孔
７２  ベース
７２０  位置決め溝
７２１  凹形孔
７２２  前側壁
７２５  隔板
７２８  空間
７３  底板
７３２  凸柱
７４  箱蓋
７４１  逆Ｕ形孔
８  面板
８１  挿入孔
８２  前側壁
８２７  位置決め壁
８２７１  係止溝
８３  後部カバー
８３２  凸片
【図１】
0003106743.tif 000003
【図２】
0003106743.tif 000004
【図３】
0003106743.tif 000005
【図４】
0003106743.tif 000006
【図５】
0003106743.tif 000007
【図６】
0003106743.tif 000008
【図７】
0003106743.tif 000009
【図８】
0003106743.tif 000010
【図９】
0003106743.tif 000011
【図１０】
0003106743.tif 000012
【図１１】
0003106743.tif 000013
【図１２】
0003106743.tif 000014
【図１３】
0003106743.tif 000015
【図１４】
0003106743.tif 000016
【図１５】
0003106743.tif 000017
【図１６】
0003106743.tif 000018
【図１７】
0003106743.tif 000019
【図１８】
0003106743.tif 000020
【図１９】
0003106743.tif 000021
【図２０】
0003106743.tif 000022
【図２１】
0003106743.tif 000023
【図２２】
0003106743.tif 000024
【図２３】
0003106743.tif 000025
【図２４】
0003106743.tif 000026
【図２５】
0003106743.tif 000027
【図２６】
0003106743.tif 000028
【図２７】
0003106743.tif 000029